(57)【特許請求の範囲】
【請求項１】
絞り羽根兼用のセクターを有し、時間の経過と共に徐々に開口していくプログラムシャッターと、
このプログラムシャッターの開口動作が始まってからストロボが発光するまでの期間Ｔ１とストロボの発光期間Ｔ２とでストロボ発光による露光量が適正露光量になるように期間Ｔ１及び発光期間Ｔ２を算出する演算手段と、
期間Ｔ１及び発光期間Ｔ２に基づいてストロボ発光を制御する制御手段とを備え、
前記演算手段は、前記発光期間Ｔ２を最大時間とすると共に、この最大時間のストロボ発光による露光量を適正露光量にするためのシャッターの開口面積を被写体距離に対応させて算出し、この開口面積になるまでの期間を前記期間Ｔ１とする第１の演算部と、
前記第１の演算部で算出された前記期間Ｔ１が最小期間より短い場合に、前記発光期間Ｔ２を前記最大時間から時間Ｔ３だけ減少させると共に、この減少した発光期間のストロボ発光による露光量を適正露光量にするためのシャッターの開口面積を被写体距離に対応させて算出し、この開口面積になるまでの期間を前記期間Ｔ１とする処理を、前記期間Ｔ１が前記最小期間より長くなるまで前記Ｔ３を増やしながら繰り返す第２の演算部とを備えていることを特徴とするストロボ内蔵カメラ。
【請求項２】
前記最小期間は、前記プログラムシャッターの開口動作が始まってから開口動作が安定するまでの期間であることを特徴とする請求項１に記載のストロボ内蔵カメラ。
【発明の詳細な説明】
【０００１】
【発明の属する技術分野】
本発明は、ストロボ発光による露光量が撮影に最適な露光量となるようにストロボの発光を制御するフラッシュマチック機構を備えたストロボ内蔵カメラに関する。
【０００２】
【従来の技術】
従来、被写体の明るさに応じた絞りとシャッターとの組合せに基づいて作動する絞り羽根兼用のセクターを有するプログラムシャッターにより、昼光でのフラッシュマチック撮影を行うカメラが提案されている。特に、プログラムシャッターの口径が時間と伴に徐々に開いていく途中の所定タイミングでストロボを発光させることにより露光量を調整する技術は、適正露光を設定するのに有効である。
【０００３】
かかる技術を用いた従来のストロボ内蔵カメラとして、特公昭５７−５４７７７号公報に開示されたものがある。
【０００４】
同公報に開示された従来のストロボ内蔵カメラでは、被写体の明るさ（即ち、ＥＶ値）に基づいて絞りとシャッターの組合せが決まるプログラムシャッターにより、図７のグラフに示すようなシャッター動作が行われる。このグラフの横軸は時間、縦軸はシャッターの開口面積である。
【０００５】
まず、時点ｔ０  でシャッターが開き始めたとすると、時点ｔ０  〜時点ｔ１  の期間中ではシャッターの開口面積が直線的に増加し、時点ｔ１  で開口面積が最大となり、時点ｔ１  〜時点ｔ２  の期間中はこの最大開口面積が保たれ、更に、時点ｔ２  でシャッターが閉じ始めて時点ｔ３  で完全に閉じる。
【０００６】
このように徐々に開口面積が変化するシャッターの動きに合わせてストロボを発光させることにより、ストロボによる露光量を可変調節することができる。つまり、時点ｔ１  〜ｔ２  の期間中にストロボを発光させれば、ストロボによる露光量を最大にすることができ、時点ｔ０  〜ｔ１  の期間中にストロボを発光させれば、シャッタ開口面積に応じた少ない露光量を設定することができる。
【０００７】
【発明が解決しようとする課題】
ところで、上記従来のストロボ内蔵カメラは、被写体までの距離が短くなるに従って、ストロボ発光タイミングが時点ｔ０  に近づいていく。しかしながら、シャター動作が開始した時点ｔ０  から或る時点（ｔ０  ＋Δｔ）までの期間Δｔ中では、シャッターの初期動作が不安定であるために、開口面積の変化率にバラツキを生じる。このため、近距離の被写体に対して、時点ｔ０  から時点（ｔ０  ＋Δｔ）の期間中にストロボを発光させると、露光量の誤差が非常に大きくなるという問題があった。
【０００８】
また、ストロボ発光期間を上記初期動作の期間（最小期間）Δｔに設定すると、この期間Δｔに対応する被写体距離よりも近距離の被写体は、露光オーバーとなり、写真として雰囲気が損なわれてしまうという問題があった。
【０００９】
本発明は、このような課題に鑑みてなされたものであり、ストロボによる露光量が極めて少なくなるようにストロボの発光制御を行い、近距離の被写体に対しても適性なストロボ発光による露光量が得られるストロボ内蔵カメラを提供することを目的とする。
【００１０】
【課題を解決するための手段】
上記課題を解決するために、本発明に係るストロボ内蔵カメラは、絞り羽根兼用のセクターを有し、時間の経過と共に徐々に開口していくプログラムシャッターと、このプログラムシャッターの開口動作が始まってからストロボが発光するまでの期間Ｔ１とストロボの発光期間Ｔ２とでストロボ発光による露光量が適正露光量になるように期間Ｔ１及び発光期間Ｔ２を算出する演算手段と、期間Ｔ１及び発光期間Ｔ２に基づいてストロボ発光を制御する制御手段とを備え、前記演算手段は、前記発光期間Ｔ２を最大時間とすると共に、この最大時間のストロボ発光による露光量を適正露光量にするためのシャッターの開口面積を被写体距離に対応させて算出し、この開口面積になるまでの期間を前記期間Ｔ１とする第１の演算部と、前記第１の演算部で算出された前記期間Ｔ１が最小期間より短い場合に、前記発光期間Ｔ２を前記最大時間から時間Ｔ３だけ減少させると共に、この減少した発光期間のストロボ発光による露光量を適正露光量にするためのシャッターの開口面積を被写体距離に対応させて算出し、この開口面積になるまでの期間を前記期間Ｔ１とする処理を、前記期間Ｔ１が前記最小期間より長くなるまで前記Ｔ３を増やしながら繰り返す第２の演算部とを備えていることを特徴とする。
【００１４】
ここで、最小期間は、プログラムシャッターの開口動作が始まってから開口動作が安定するまでの期間であってもよい。
【００１８】
【作用】
本発明のストロボ内蔵カメラによれば、プログラムシャッターの開口動作が始まってからストロボが発光するまでの期間Ｔ１とストロボの発光期間Ｔ２とが演算手段により算出される。演算手段は第１の演算部と第２の演算部とを備え、まず第１の演算部の処理が行われる。第１の演算部は、発光期間Ｔ２を最大時間とし、この最大時間のストロボ発光による露光量を適正露光量にするためのシャッターの開口面積を被写体距離に対応させて算出する。そして、この開口面積になるまでの期間を期間Ｔ１とする。
【００１９】
ここで、第１の演算部で算出された期間Ｔ１が最小期間より短い場合には、第２の演算部の処理が行われる。即ち、第２の演算部では、発光期間Ｔ２を最大時間から所定時間Ｔ３だけ減少させる。そして、この減少した発光期間のストロボ発光による露光量を適正露光量にするためのシャッターの開口面積を被写体距離に対応させて算出し、この開口面積になるまでの期間を期間Ｔ１とする。このようにして得られた期間Ｔ１が最小期間以下の場合、所定時間Ｔ３を増やして上記処理を繰り返すことにより、発光期間Ｔ２を漸次減少させる。
【００２０】
そして、制御手段が、第１又は第２の演算手段で算出された期間Ｔ１及び発光期間Ｔ２に基づいて、ストロボ発光を制御する。
【００２１】
【発明の実施の形態】
以下、本発明の実施の形態を添付図面と共に説明する。図１は、実施の形態に係るストロボ内蔵カメラの外観を示す斜視図である。同図より、このストロボ内蔵カメラは、略直方体形状のカメラボディ１０の上端にシャッターボタン１１が配設され、カメラボディ１０前面の中央部にレンズ１２の組み込まれた鏡胴１３が取り付けられている。カメラボディ１０前面の上部には図の左側から投光器１４、ファインダ１５、受光器１６、及びストロボ１７が配設されている。ここで、投光器１４及び受光器１６は、例えば三角測量の原理に基づいて被写体までの距離を測定する測距部を構成している。
【００２２】
また、カメラボディ１０の前面における鏡胴１３の右脇には、撮影視野内の外光輝度測定用の測光部１８が組み込まれている。測光部１８は、カメラボディ１０の表面に形成された入射窓１８ａと、この入射窓１８ａの内側に配置されたレンズ１８ｂと、レンズ１８ｂの結像位置近傍に受光面が配された受光素子１８ｃとを備えている。
【００２３】
受光素子１８ｃの受光面は、レンズ１８ｂの結像位置からずらして配置されているので、完全な被写体像が受光素子１８ｃの受光面に結像されることはなく、被写体を含む撮影視野全体の平均外光光量が受光素子１８ｃで検出される。更に、カメラボディ１０内部のレンズ１２の光軸上に、フィルムに必要な露光量を与える絞りばね兼用セクターを備えたシャッター１９が組み込まれている。
【００２４】
更に、ストロボ１７の発光タイミングを制御するためのストロボ光制御部の具体的な構成を図２のブロック図に示す。このストロボ光制御部は、投光器１４及び受光器１６で測定される被写体までの距離と、測光部１８で測定される撮影視野内の外光輝度に基づいて、撮影に最適な露光を得るためのストロボ光の発光制御を行う。そして、このストロボ光制御部は、ＣＰＵ２０がＲＯＭ２１に書き込まれた制御プログラム２１ａを実行する、所謂フログラム制御によって実現されている。
【００２５】
ＣＰＵ２０には、シャッターボタン１１から半押し信号と全押し信号が与えられる。シャッターボタン１１から半押し信号を受けたＣＰＵ２０は、投光器１４に対して被写体までの距離を測定するための制御信号を与え、測光部１８に対して撮影視野内の外光輝度を測定するための制御信号を与える。これらの制御信号によって、投光器１４（及び受光器１６）と測光部１８が測距・測光を行い、これらの測定結果をＣＰＵ２０に与える。また、シャッターボタン１１から全押し信号を受けたＣＰＵ２０は、ストロボ１７に対してストロボ発光を行うための制御信号を与え、シャッター１９に対してシャッター開閉を行うための制御信号を与える。
【００２６】
ストロボ１７は、シャッター１９の開口タイミングに合わせて自動的にストロボ発光を行う。シャッター１９はＥＶ値によって絞りとシャッターの組合せが決まるプログラムシャッターであり、図３（ａ）に示すシャッター動作を行う。
【００２７】
図３（ａ）において、シャッター１９が開き始める時点ｔ０  から或る時点（ｔ０  ＋Δｔ）までの期間Δｔでは、時間経過と共に開口面積がほぼ比例して増加するものの、動作が不安定な初期動作期間である。この時点（ｔ０  ＋Δｔ）からシャッター１９の開口面積が最大となる時点ｔ１  までの期間中では、シャッター１９の開口面積は時間に比例して増加する。時点ｔ１  から時点ｔ２  の期間中では、シャッター１９は最大の開口面積を保持する。そして、シャッター１９は、時点ｔ２で閉じ始めて時点ｔ３  で完全に閉じる。
【００２８】
ストロボ１７の発光制御は、図３（ｂ）のタイミングチャートにて示すように、シャッター１９が開き始めてからストロボ１７が発光するまでの期間Ｔ１と、ストロボ１７の発光期間Ｔ２とを可変制御することによって実現されている。つまり、発光期間Ｔ２を変えれば、ストロボ光量が変わるので、ストロボ１７による露光量を変化させることができる。また、発光期間Ｔ２が一定でも、期間Ｔ１を時点ｔ０  と時点ｔ１  の間で変化させれば、シャッター１９の開口面積が変わるので、ストロボ１７による露光量を変化させることができる。
【００２９】
このような期間Ｔ１と発光期間Ｔ２の決定は、まず、測距部（投光器１４及び受光器１６）で測定された被写体までの距離に対応した開口面積になるまでの期間を演算し、その期間をＴ１とする。そして、期間Ｔ１がストロボ１７の開口動作の安定するまでの期間Δｔより短い場合（Ｔ１＜Δｔ）には、期間Ｔ１をΔｔとし（即ち、Ｔ１＝Δｔにする）、ストロボ１７の発光期間Ｔ２をフル発光させる最大時間から短くなるように変化させる。
【００３０】
次に、本実施の形態で行っているストロボ１７の発光制御の具体的な処理の流れを図４，５のフローチャート、図６（ａ）（ｂ）のグラフを用いて説明する。ここで、図６（ａ）（ｂ）のグラフは、期間Ｔ１に対応するシャッター開口面積に応じた絞りのアペックス値（ＡＶ値）を横軸に、発光期間Ｔ２に対応するストロボガイドナンバーのアペックス値（ＧＶ値）を縦軸にしたグラフである。また、２種類の発光制御の方式を採用しており、第１の発光制御方式を図４と図６（ａ）に、第２の発光制御方式を図５と図６（ｂ）にそれぞれ示している。いずれの発光制御方式も、上述した制御プログラム２１ａに基づいてＣＰＵ２０が行っている。
【００３１】
まず、第１の発光制御方式の処理について、図４のフローチャートと図６（ａ）のグラフを用いて説明する。撮影者が被写体に向けてカメラを構え、シャッタースイッチ１１を半押しすることにより、測光部１８が測定する外光輝度のアペックス値（ＢＶ値）を求めると共に、投光器１４と受光器１６により被写体までの距離（Ｄ）の測定が行われる。そして、外光輝度（ＢＶ）と距離（Ｄ）をパラメータとして、所定の補正テーブルから補正値（ＯＦＳ値）を求める。この補正テーブルはＲＯＭ２１に書き込まれており（図示せず）、外光輝度（ＢＶ）と距離（Ｄ）とからＯＦＳ値の関係を定義したルックアップテーブルである。このようにして求めたＯＦＳ値を次式▲１▼に代入することにより、ＦＬ値が算出される（ステップ１００）。
ＦＬ＝ｌｏｇ２  ＯＦＳ    …▲１▼
そして、外光輝度（ＢＶ）とフィルム感度から定まるプログラムシャッターの最大開口の絞り値ＡＶ（ＭＩＮ）  を、ＲＯＭ２１の上記ルックアップテーブル（図示せず）から求める（ステップ１０１）。
【００３２】
次に、ストロボをフル発光させたときのＩＳＯ１００におけるガイドナンバー（ＧＮｏ．）を次式▲２▼に代入することにより、ＧＶ値の最大値ＧＶ（ＭＡＸ）  を算出する（ステップ１０２）。
ＧＶ＝２ｌｏｇ２  ＧＮｏ．    …▲２▼
また、被写体までの距離（Ｄ）を次式▲３▼に代入してＤＶ値を求める。
【００３３】
ＤＶ＝−２ｌｏｇ２  Ｄ    …▲３▼
次に、ステップ１００で求めたＦＬ値、ステップ１０２で求めたＧＶ値、フィルム感度のアペックス値（ＳＶ）及びＤＶ値を式▲４▼に代入することにより、プログラムシャッターの絞り値（ＡＶ値）を算出する（ステップ１０３）。
ＡＶ＝ＧＶ＋ＳＶ＋ＤＶ−ＦＬ−５    …▲４▼
このようにして求めたＧＶ値とＡＶ値が示す座標点は、図６（ａ）のグラフの線分１３０上、または線分１３０の右側延長上のいずれかにある。より具体的に述べれば、上記の座標点は、ＧＶ＝ＧＶ（ＭＡＸ）  且つＡＶ（ＭＩＮ）  ≦ＡＶ≦ＡＶ（ＭＡＸ）  で表される線分１３０上にあるか、または、ＧＶ＝ＧＶ（ＭＡＸ）  且つＡＶ（ＭＡＸ）  ＜ＡＶの範囲内の何れかに存在する。
【００３４】
次に、ステップ１０３で求めたＡＶ値と、期間Ｔ１を最小期間にした場合のＡＶ値（ＡＶ（ＭＡＸ）  ）とを比較し（ステップ１０４）、ＡＶ値がＡＶ（ＭＡＸ）  より大きい場合には、ＡＶ値をＡＶ（ＭＡＸ）  とする（ステップ１０５）。つまり、ＧＶ値とＡＶ値が示す座標点が図６（ａ）のグラフの線分１３０よりも右側にあるとき、換言すれば、この座標点がＧＶ＝ＧＶ（ＭＡＸ）  且つＡＶ（ＭＡＸ）  ＜ＡＶの範囲内にある場合には、強制的に、ＡＶ値を線分１３０の右端（ＡＶ＝ＡＶ（ＭＡＸ）  ）に位置させる。この処理によって、期間Ｔ１は最小期間（初期動作期間）Δｔと等しくなる（図３（ａ）参照）。
【００３５】
次に、このＡＶ値と、既に求めたＳＶ値と、ＤＶ値と、ＦＬ値を次式▲５▼に代入することにより、ＧＶ値を算出する（ステップ１０６）。
ＧＶ＝ＡＶ−ＳＶ−ＤＶ＋ＦＬ＋５    …▲５▼
このようにして求めたＧＶ値とＡＶ値が示す座標点は、図６（ａ）のグラフの線分１３１上、または線分１３１の下側延長上のいずれかにある。より具体的に述べれば、この座標点は、ＡＶ＝ＡＶ（ＭＡＸ）  且つＧＶ（ＭＩＮ）  ≦ＧＶ≦ＧＶ（ＭＡＸ）  で表される線分１３０上にあるか、または、ＡＶ＝ＡＶ（ＭＡＸ）  且つＧＶ＜ＧＶ（ＭＩＮ）  の範囲内の何れかに存在する。この処理によって、ストロボ１７の発光期間Ｔ２は短くなる。
【００３６】
次に、ステップ１０６で求めたＧＶ値と、発光期間Ｔ２をストロボ１７が作動できる最短の発光時間にした場合のＧＶ値（ＧＶ（ＭＩＮ）  ）とを比較して（ステップ１０７）、ＧＶ値がＧＶ（ＭＩＮ）  より小さい場合には、ＧＶ値をＧＶ（ＭＩＮ）  とする（ステップ１０８）。つまり、ＧＶ値とＡＶ値が示す座標点が図６（ａ）のグラフの線分１３１よりも下側にあるときには、ＧＶ値を線分１３１の下端（ＧＶ＝ＧＶ（ＭＩＮ）  ）に位置させる。この処理によって、発光期間Ｔ２は、ストロボ１７が作動できる最短の発光期間となる。
【００３７】
次に、ステップ１０４において、ＡＶ値がＡＶ（ＭＡＸ）  以下の場合には、ＡＶ値とＡＶ（ＭＩＮ）  とを比較する（ステップ１０９）。そして、ＡＶ値がＡＶ（ＭＩＮ）  よりも小さい場合には、ＡＶ値をＡＶ（ＭＩＮ）  にする（ステップ１１０）。
【００３８】
ここで、ＡＶ値がＡＶ（ＭＩＮ）  より小さくなるのは、ＧＶ値とＡＶ値が示す座標点が図６（ａ）のグラフの線分１３０よりも左側にある場合である。即ち、この座標点が、ＧＶ＝ＧＶ（ＭＡＸ）  且つＡＶ＜ＡＶ（ＭＩＮ）  の範囲にある場合である。
【００３９】
そして、ステップ１１０の処理によれば、強制的に、ＡＶ値をＡＶ（ＭＩＮ）  にすることによって、ＧＶ値とＡＶ値が示す座標点を線分１３０の左端に位置させているのである。したがって、この処理によって、期間Ｔ１は期間（ｔ１  −ｔ０  ）となる（図３（ａ）を参照）。
【００４０】
そして、ステップ１０８またはステップ１１０の処理が終了した場合、ステップ１０７でＧＶ値がＧＶ（ＭＩＮ）  以上の場合、或いはステップ１０９でＡＶ値がＡＶ（ＭＩＮ）  以上の場合に、第１の発光制御方式の処理が終了する。
【００４１】
次に、第２の発光制御方式の処理について、図５のフローチャートと図６（ｂ）のグラフを用いて説明する。撮影者が被写体に向けてカメラを構え、シャッタースイッチ１１を半押しすることにより、測光部１８が測定する外光輝度のアペックス値（ＢＶ値）を求めると共に、投光器１４と受光器１６により被写体までの距離（Ｄ）の測定が行われる。そして、外光輝度（ＢＶ）と距離（Ｄ）をパラメータとして、所定の補正テーブルから補正値（ＯＦＳ値）を求める。この補正テーブルはＲＯＭ２１に書き込まれており（図示せず）、外光輝度（ＢＶ）と距離（Ｄ）とからＯＦＳ値の関係を定義したルックアップテーブルである。このようにして求めたＯＦＳ値を前記式▲１▼に代入することにより、ＦＬ値を算出する（ステップ１１０）。
【００４２】
そして、外光輝度（ＢＶ）とフィルム感度から定まるプログラムシャッターの最大開口の絞り値ＡＶ（ＭＩＮ）  を、ＲＯＭ２１に書き込まれたテーブル（図示せず）から求める（ステップ１１１）。
【００４３】
次に、期間Ｔ１を最小期間ΔｔにしたときのＡＶ値（ＡＶ（ＭＡＸ）  ）よりも若干小さな値ＡＶＬＩＭ  を決定する（ステップ１１２）。ＡＶＬＩＭ  は、定数値でもよく、また、ＡＶ（ＭＩＮ）  またはＡＶ（ＭＡＸ）  に基づく値でもよい。但し、ＡＶＬＩＭ  に対応する期間Ｔ１と最小期間Δｔの間がシャッター１９の開口動作の精度が良い部分であることを条件とする。そして、ストロボをフル発光させたときのガイドナンバー（ＧＮｏ．）を前記式▲２▼に代入することによって、ＧＶ値の最大値（ＧＶ（ＭＡＸ）  ）を求める（ステップ１１３）。
【００４４】
さらに、被写体までの距離（Ｄ）を前記式▲３▼に代入することによってＤＶ値を求める。そして、ステップ１１０で求めたＦＬ値と、ステップ１１３で求めたＧＶ値と、フィルム感度（ＳＶ）、及びＤＶ値を前記式▲４▼に代入することによって、ＡＶ値を求める（ステップ１１４）。
【００４５】
このようにして求めたＧＶ値とＡＶ値が示す座標点は、図６（ｂ）のグラフの線分１３２上、又はこの線分１３２の右側端の延長上のいずれかにある。より具体的に述べれば、この座標点は、ＧＶ＝ＧＶ（ＭＡＸ）  且つＡＶ（ＭＩＮ）  ≦ＡＶ≦ＡＶ（ＭＡＸ）  で表される線分１３２上にあるか、または、ＧＶ＝ＧＶ（ＭＡＸ）  且つＡＶ（ＭＡＸ）  ＜ＡＶの範囲内の何れかに存在することとなる。
【００４６】
次に、ステップ１１４で求めたＡＶ値とＡＶ（ＭＡＸ）  とを比較し（ステップ１１５）、ＡＶ値がＡＶ（ＭＡＸ）  より大きい場合には、次式▲６▼を用いてＧＶ値を（ＡＶ（ＭＡＸ）  −ＡＶＬＩＭ  ）だけ小さくする（ステップ１１６）。
ＧＶ＝ＧＶ−（ＡＶ（ＭＡＸ）  −ＡＶＬＩＭ  ）    …▲６▼
つまり、ＧＶ値とＡＶ値が示す座標点が、図６（ｂ）のグラフの線分１３２よりも右側にある場合（ＡＶ（ＭＡＸ）  ＜ＡＶの場合）には、ＧＶ値を線分１３３上（或いは線分１３３の延長上）の値に位置付けるのである。この処理によって、ストロボ１７の発光期間Ｔ２は短くなる。
【００４７】
次に、ステップ１１６で求めたＧＶ値と、発光期間Ｔ２をストロボ１７が作動できる最短の発光時間にした場合のＧＶ値（ＧＶ（ＭＩＮ）  ）とを比較して（ステップ１１７）、ＧＶ値がＧＶ（ＭＩＮ）  以上の場合には、このＧＶ値と、既に求めたＳＶ値と、ＤＶ値と、ＦＬ値とを前記式▲４▼に代入することによって、ＡＶ値を求める（ステップ１１８）。このようにして求めたＧＶ値とＡＶ値が示す座標点は、図６（ｂ）のグラフの線分１３３上（或いは線分１３３の延長上）のいずれかにある。そして、処理をステップ１１５に戻す。
【００４８】
その後は、ＡＶ値がＡＶ（ＭＡＸ）  以下になるまで、ステップ１１５からステツプ１１８までの処理を繰り返すことによって、ＧＶ値とＡＶ値が示す座標点の位置する線分を、線分１３４→線分１３５→線分１３６へと一段ずつ変更させる。
【００４９】
各線分１３３〜１３６は、シャッター１９の開口動作の精度が良い部分での、ＧＶ値とＡＶ値の組合せによるものである。即ち、各線分１３３〜１３６は、図３（ａ）に示す最小期間Δｔを経過したときのＧＶ値とＡＶ値の組合せによるものである。
【００５０】
この結果、いずれかの線分上で、前記式▲４▼▲５▼を満足するＧＶ値及びＡＶ値が決まり、これらの値に基づいてストロボ１７の発光制御を行うことによって、ストロボ１７による露光量制御を極めて高精度に行うことができるようになる。
【００５１】
そして、ステップ１１７の比較処理で、ＧＶ値がＧＶ（ＭＩＮ）  よりも小さい場合には、ＧＶ値をＧＶ（ＭＩＮ）  とする（ステップ１１９）。つまり、ＧＶ値とＡＶ値が示す座標点が図６（ｂ）のグラフの点線１３６より下側にあるとき（即ち、ＧＶ＜ＧＶ（ＭＩＮ）  ）には、ＧＶ値を点線１３６上に位置させるのである。この処理によって、発光期間Ｔ２はストロボ１７が制御できる最短の発光期間となる。
【００５２】
さらに、ステップ１１０で求めたＦＬ値と、ステップ１１９で求めたＧＶ値と、フィルム感度（ＳＶ）、及びＤＶ値を前記式▲４▼に代入することによって、ＡＶ値を求める（ステップ１２０）。このようにして求めたＧＶ値とＡＶ値が示す座標点は、図６（ｂ）のグラフの線分１３６上（或いは線分１３６の延長上）のいずれかにある。
【００５３】
次に、ステップ１２０で求めたＡＶ値と、ＡＶ（ＭＡＸ）  とを比較し（ステップ１２１）、ＡＶ値がＡＶ（ＭＡＸ）  より大きい場合には、ＡＶ値をＡＶ（ＭＡＸ）  とする（ステップ１２２）。つまり、ＧＶ値とＡＶ値が示す座標点が図６（ｂ）のグラフの線分１３６より右側にあるとき（即ち、ＡＶ（ＭＡＸ）  ＜ＡＶ）には、この点を線分１３６の右端に位置させるのである。この処理によって、期間Ｔ１はΔｔとなる（図３（ａ）参照）。
【００５４】
ステップ１１５で、ＡＶ値がＡＶ（ＭＡＸ）  以下の場合には、ＡＶ値とＡＶ（ＭＩＮ）  とを比較して（ステップ１２３）、ＡＶ値がＡＶ（ＭＩＮ）  より小さい場合には、ＡＶ値をＡＶ（ＭＩＮ）  とする（ステップ１２４）。そして、ＡＶ値がＡＶ（ＭＩＮ）  より小さくなるのは、ＧＶ値とＡＶ値が示す座標点が図６（ｂ）のグラフの線分１３２より左側にある場合（即ち、ＡＶ＜ＡＶ（ＭＩＮ）  の場合）であり、ステップ１２４の処理では、ＡＶ値をＡＶ（ＭＩＮ）  として、ＧＶ値とＡＶ値が示す点を線分１３２の左端に位置させるのである。この処理によって、期間Ｔ１は期間（ｔ１  −ｔ０  ）となる。
【００５５】
そして、ステップ１２２またはステップ１２４の処理が終了した場合、ステップ１２１でＡＶ値がＡＶ（ＭＡＸ）  以下の場合、またはステップ１２３でＡＶ値がＡＶ（ＭＩＮ）  以上の場合には、第２の発光制御方式の処理を終了する。
【００５６】
以上説明した第１の発光制御方式の処理、または第２の発光制御方式の処理によって、ストロボ１７の発光制御に最適なＡＶ値とＧＶ値が決定される。そして、ＡＶ値はシャッター１９が開き始めてからストロボ１７が発光するまでの期間Ｔ１に対応し、ＧＶ値はストロボ１７の発光期間Ｔ２に対応するので、これらの値が決まることによって、期間Ｔ１と発光期間Ｔ２が確定することになる。
【００５７】
なお、本発明は上記に説明した本実施の形態に限定されるものではなく、種々の変形が可能である。例えば、本実施の形態では、ストロボ１７の発光制御処理を、ＲＯＭ２１に書き込まれた制御プログラム２１ａに基づいてＣＰＵ２０が実行する、所謂フログラム制御に依る構成としたが、同じ発光制御処理をハードウェアの回路で行うようにしてもよい。
【００５８】
また、本実施の形態では、被写体までの距離の測定を、投光器１４と受光器１６を用いたアクティブ測距方式で行っているが、パッシブ測距方式を用いてもよい。
【００５９】
【発明の効果】
以上詳細に説明したように、本発明のストロボ内蔵カメラは、プログラムシャッターと、このプログラムシャッターの開口動作が始まってからストロボが発光するまでの期間Ｔ１とストロボの発光期間Ｔ２とでストロボ発光による露光量が適正露光量になるように期間Ｔ１及び発光期間Ｔ２を演算する演算手段と、この演算手段で算出された期間Ｔ１及び発光期間Ｔ２に基づいてストロボ発光を制御する制御手段とを備えている。そして、演算手段では、まず、第１の演算部で発光期間Ｔ２を最大時間（フル発光）とした場合の期間Ｔ１を算出し、算出した期間Ｔ１が最小期間（初期動作期間）より短い場合に、第２の演算部で期間Ｔ１を最小期間或いはその近傍として発光期間Ｔ２を算出する。
【００６０】
このように、第１の演算部で算出された期間Ｔ１が最小期間より短い場合にも、第２の演算部で期間Ｔ１を最小期間或いはその近傍としているので、期間Ｔ１が開口動作が不安定な最小期間より短くなることがない。このため、露光量の調整を精度良く行うことができる。また、第２の演算部では、最大時間より短い発光期間Ｔ２が算出される。このため、近距離でも露光オーバーとならず、被写体を写真として雰囲気が損なわれてしまうこと無く撮影することができるという優れた効果を発揮する。
【００６１】
特に、ストロボの発光期間Ｔ２を段階的に変えることにより、発光量ＧＶと発光期間Ｔ２の関係を記憶するメモリの容量を小さくすることができ、小型・軽量化等を図ることができる。
以    上
【図面の簡単な説明】
【図１】本実施例のストロボ内蔵カメラの外観を示す斜視図である。
【図２】ストロボの発光制御を行うための構成を示すブロック図である。
【図３】シャッターの開口タイミングとストロボ発光のタイミングを示す図である。
【図４】ストロボの発光制御の処理の流れを示すフローチャートである。
【図５】ストロボの発光制御の処理の流れを示すフローチャートである。
【図６】ストロボの発光制御の処理を示すグラフである。
【図７】シャッターの開口面積と時間との関係を示すグラフである。
【符号の説明】
１１…シャッターボタン、１４…投光器、１６…受光器、１７…ストロボ、１８…測光部、１９…シャッター、２０…ＣＰＵ（演算手段、制御手段）、２１…ＲＯＭ、２１ａ…制御プログラム（演算手段、制御手段）。
【図１】
0003618017.tif 000002
【図２】
0003618017.tif 000003
【図３】
0003618017.tif 000004
【図４】
0003618017.tif 000005
【図５】
0003618017.tif 000006
【図６】
0003618017.tif 000007
【図７】
0003618017.tif 000008